(57)【要約】【課題】自動の薬液調製装置への適用性に優れ、保管時および使用後の嵩高を小さくすることができ、薬剤の投入間違いのリスクを防止することができる薬剤収納容器、その薬剤収納容器を用いる薬液調製装置、および薬液調製方法を提供する。【解決手段】複数の薬剤収納部１２が１つのシート状に連結されている薬剤収納容器１０であって、薬剤収納部１２は、袋状に構成されており、薬剤収納容器１０を支持するための容器支持部１４を有する、薬剤収納容器１０である。【選択図】図１
2019130217.tif 000002
【特許請求の範囲】
【請求項１】
複数の薬剤収納部が１つのシート状に連結されている薬剤収納容器であって、
前記薬剤収納部は、袋状に構成されており、
前記薬剤収納容器を支持するための容器支持部を有することを特徴とする薬剤収納容器。
【請求項２】
請求項１に記載の薬剤収納容器であって、
前記薬剤収納部は、後端部から先端部に向かうにつれて細くなる袋状に構成されていることを特徴とする薬剤収納容器。
【請求項３】
請求項１または２に記載の薬剤収納容器であって、
前記容器支持部は、穴または突起であり、１つ以上の前記穴または突起が、前記薬剤収納容器のシートの短手方向の両端部に沿って並んで形成されたものであることを特徴とする薬剤収納容器。
【請求項４】
薬剤を溶媒により所定の濃度に調整して薬液を調製するための薬液調製装置であって、
前記薬剤と前記溶媒との混合液を収容可能な薬液調製槽と、
前記薬液調製槽から排出された前記薬剤と前記溶媒との混合液をさらに前記薬液調製槽に循環供給するための循環配管を有する循環手段と、
薬剤がそれぞれに収納された複数の薬剤収納部が１つのシート状に連結されており、前記薬剤収納部が袋状に構成されている薬剤収納容器における、前記薬剤収納容器を支持するための容器支持部を支持して動力を伝達することにより、前記薬剤収納容器の各薬剤収納部を前記薬液調製槽の上まで搬送する容器搬送機構と、
を備えることを特徴とする薬液調製装置。
【請求項５】
請求項４に記載の薬液調製装置であって、
前記薬剤収納部は、後端部から先端部に向かうにつれて細くなる袋状に構成されていることを特徴とする薬液調製装置。
【請求項６】
請求項４または５に記載の薬液調製装置であって、
前記容器支持部は、穴または突起であり、１つ以上の前記穴または突起が、前記薬剤収納容器のシートの短手方向の両端部に沿って並んで形成されたものであることを特徴とする薬液調製装置。
【請求項７】
薬剤を溶媒により所定の濃度に調整して薬液を調製するための薬液調製方法であって、
循環配管を通して、薬液調製槽から排出された前記薬剤と前記溶媒との混合液をさらに前記薬液調製槽に循環供給して循環する循環工程を含み、
薬剤がそれぞれに収納された複数の薬剤収納部が１つのシート状に連結されており、前記薬剤収納部が袋状に構成されている薬剤収納容器における、前記薬剤収納容器を支持するための容器支持部を支持して動力を伝達することにより、前記薬剤収納容器の各薬剤収納部を前記薬液調製槽の上まで搬送することを特徴とする薬液調製方法。
【請求項８】
請求項７に記載の薬液調製方法であって、
前記薬剤収納部は、後端部から先端部に向かうにつれて細くなる袋状に構成されていることを特徴とする薬液調製方法。
【請求項９】
請求項７または８に記載の薬液調製方法であって、
前記容器支持部は、穴または突起であり、１つ以上の前記穴または突起が、前記薬剤収納容器のシートの短手方向の両端部に沿って並んで形成されたものであることを特徴とする薬液調製方法。
【発明の詳細な説明】
【技術分野】
【０００１】
本発明は、主として人工透析に用いる透析液の調製に使用され、粉末状または顆粒状とした固体透析用剤等の薬剤を収納するための薬剤収納容器、その薬剤収納容器を用いて薬剤を所定の濃度に調整するための薬液調製装置、および薬液調製方法に関する。
【背景技術】
【０００２】
透析用剤は、透析液を作製するための薬剤である。透析液は、血液透析、血液濾過、腹膜透析等により、本来腎臓が行う機能に代わって体液の老廃物を取り去り、場合によっては血液中に必要な成分を補うために用いられるもので、体液に近い電解質組成を有する水溶液である。
【０００３】
現在の透析用剤は、一般的には、ナトリウムイオンおよびカリウムイオン等を含む電解質成分である塩化ナトリウム、塩化カリウム、塩化マグネシウム、塩化カルシウムと、ブドウ糖と、ｐＨ調整剤（例えば、酢酸と酢酸ナトリウムまたはその混合物、もしくはクエン酸とクエン酸ナトリウム等）とを含む「透析用剤Ａ剤」と、炭酸水素ナトリウムを含む「透析用剤Ｂ剤」との２剤構成となっている。
【０００４】
透析用剤には、液体型と固体型の２種類の型がある。液体型の透析用剤は、その大部分が水で占められており、重量と容量が大きくなるため、透析医療従事者への運搬作業の負荷が大きく、保管スペースも大きくなってしまう。そのため、近年、透析液を使用する際に、自動の薬剤溶解装置に投入して、水に溶解させて透析液を調製する固体型の透析用剤が急速に普及している。この固体型の透析用剤を収納する容器は、現在、袋式とボトル式がある。
【０００５】
例えば、特許文献１には、袋式の薬剤収納容器を用いた薬剤溶解装置が提案されている。袋式の薬剤収納容器は、可撓性を有するシート材で袋体に構成されているので、使用後の嵩高を減少させることができる利点がある。しかし、袋式の薬剤収納容器は、容器支持部の開封および薬剤を薬剤溶解装置の溶解槽に移送する位置決めが難しく、自動の薬剤溶解装置への適用性にやや難がある。また、袋式の薬剤収納容器を１つ１つ吊り下げレールに取り付けるため、薬剤の投入間違いのリスクがある。さらに、薬剤投入時の薬剤の飛散により薬剤溶解装置の周辺が汚染する可能性がある等の点で改善の余地を残している。
【０００６】
ボトル式の薬剤収納容器は、自動の薬剤溶解装置にセットすれば、全自動で透析液の調製が可能となり、数量違いや異物混入の可能性は袋式に比べて低い。また、ボトル式は、薬剤の種類等によって、ボトルサイズを変更することによって薬剤の投入間違いを防止することができる。しかし、ボトルは、袋式に比べて剛性の高い材料で構成されているので、使用後空になっても、つぶして容量を小さくし難く、ゴミとして処分する際に嵩張るという問題がある。
【先行技術文献】
【特許文献】
【０００７】
【特許文献１】特許第４７６６８９８号公報
【発明の概要】
【発明が解決しようとする課題】
【０００８】
本発明の目的は、自動の薬液調製装置への適用性に優れ、袋式と同様に保管時および使用後の嵩高を小さくすることができ、ボトル式と同様に薬剤の投入間違いのリスクを防止することができる薬剤収納容器、その薬剤収納容器を用いる薬液調製装置、および薬液調製方法を提供することにある。
【課題を解決するための手段】
【０００９】
本発明は、複数の薬剤収納部が１つのシート状に連結されている薬剤収納容器であって、前記薬剤収納部は、袋状に構成されており、前記薬剤収納容器を支持するための容器支持部を有する、薬剤収納容器である。
【００１０】
前記薬剤収納容器において、前記薬剤収納部は、後端部から先端部に向かうにつれて細くなる袋状に構成されていることが好ましい。
【００１１】
前記薬剤収納容器において、前記容器支持部は、穴または突起であり、１つ以上の前記穴または突起が、前記薬剤収納容器のシートの短手方向の両端部に沿って並んで形成されたものであることが好ましい。
【００１２】
前記薬剤収納容器において、前記薬剤収納部の前記先端部からの一部および前記後端部からの一部を残してシートから切断されることにより、切断された薬剤収納部が、残された前記後端部からの一部に支持されて下方に垂れ下がり、前記先端部の側の開口された開口部から薬剤が排出されるように構成されていることが好ましい。
【００１３】
前記薬剤収納容器において、前記薬剤収納部に収納される薬剤が、透析用剤であることが好ましい。
【００１４】
本発明は、薬剤を溶媒により所定の濃度に調整して薬液を調製するための薬液調製装置であって、前記薬剤と前記溶媒との混合液を収容可能な薬液調製槽と、前記薬液調製槽から排出された前記薬剤と前記溶媒との混合液をさらに前記薬液調製槽に循環供給するための循環配管を有する循環手段と、薬剤がそれぞれに収納された複数の薬剤収納部が１つのシート状に連結されており、前記薬剤収納部が袋状に構成されている薬剤収納容器における、前記薬剤収納容器を支持するための容器支持部を支持して動力を伝達することにより、前記薬剤収納容器の各薬剤収納部を前記薬液調製槽の上まで搬送する容器搬送機構と、を備える、薬液調製装置である。
【００１５】
前記薬液調整装置で用いられる前記薬剤収納容器において、前記薬剤収納部は、後端部から先端部に向かうにつれて細くなる袋状に構成されていることが好ましい。
【００１６】
前記薬液調整装置で用いられる前記薬液収納容器において、前記容器支持部は、穴または突起であり、１つ以上の前記穴または突起が、前記薬剤収納容器のシートの短手方向の両端部に沿って並んで形成されたものであることが好ましい。
【００１７】
前記薬液調製装置において、前記薬剤収納部の前記先端部からの一部および前記後端部からの一部を残してシートを切断するための切断機構をさらに備え、前記切断機構により切断された薬剤収納部が、残された前記後端部からの一部に支持されて下方に垂れ下がり、前記先端部の側の開口された開口部から薬剤が前記薬液調製槽内に排出されるように構成されていることが好ましい。
【００１８】
前記薬液調整装置において、前記薬剤収納部に収納される薬剤が、透析用剤であることが好ましい。
【００１９】
本発明は、薬剤を溶媒により所定の濃度に調整して薬液を調製するための薬液調製方法であって、循環配管を通して、薬液調製槽から排出された前記薬剤と前記溶媒との混合液をさらに前記薬液調製槽に循環供給して循環する循環工程を含み、薬剤がそれぞれに収納された複数の薬剤収納部が１つのシート状に連結されており、前記薬剤収納部が袋状に構成されている薬剤収納容器における、前記薬剤収納容器を支持するための容器支持部を支持して動力を伝達することにより、前記薬剤収納容器の各薬剤収納部を前記薬液調製槽の上まで搬送する、薬液調製方法である。
【００２０】
前記薬液調整方法で用いられる前記薬剤収納容器において、前記薬剤収納部は、後端部から先端部に向かうにつれて細くなる袋状に構成されていることが好ましい。
【００２１】
前記薬液調整方法で用いられる前記薬液収納容器において、前記容器支持部は、穴または突起であり、１つ以上の前記穴または突起が、前記薬剤収納容器のシートの短手方向の両端部に沿って並んで形成されたものであることが好ましい。
【００２２】
前記薬液調製方法において、前記薬剤収納部の前記先端部からの一部および前記後端部からの一部を残してシートを切断することによって、切断した薬剤収納部が、残された前記後端部からの一部に支持されて下方に垂れ下がり、前記先端部の側の開口された開口部から薬剤を前記薬液調製槽内に排出することが好ましい。
【００２３】
前記薬液調整方法において、前記薬剤収納部に収納される薬剤が、透析用剤であることが好ましい。
【発明の効果】
【００２４】
本発明により、自動の薬液調製装置への適用性に優れ、袋式と同様に保管時および使用後の嵩高を小さくすることができ、ボトル式と同様に薬剤の投入間違いのリスクを防止することができる薬剤収納容器、その薬剤収納容器を用いる薬液調製装置、および薬液調製方法を提供することができる。
【図面の簡単な説明】
【００２５】
【図１】本発明の実施形態に係る薬剤収納容器の一例を示す概略構成図である。
【図２】本発明の実施形態に係る薬液調製装置の一例を示す概略構成図である。
【図３】本発明の実施形態に係る薬剤収納容器を用いる薬液調製装置による薬液調製方法の一例を示す概略図（上面図）である。
【図４】本発明の実施形態に係る薬剤収納容器を用いる薬液調製装置による薬液調製方法の一例を示す概略図である。
【図５】本発明の実施形態に係る薬剤収納容器を用いる薬液調製装置による薬液調製方法の一例を示す概略図である。
【図６】本発明の実施形態に係る薬剤収納容器における薬剤収納部の形状の例を示す概略図である。
【図７】本発明の実施形態に係る薬液調製装置における切断機構の例を示す概略図である。
【発明を実施するための形態】
【００２６】
本発明の実施の形態について以下説明する。本実施形態は本発明を実施する一例であって、本発明は本実施形態に限定されるものではない。
【００２７】
本発明の実施形態に係る薬剤収納容器の一例の概略を図１に示し、その構成について説明する。図１に示す薬剤収納容器１０は、複数の薬剤収納部１２が１つのシート状に連結されており、薬剤収納部１２は、例えば、後端部から先端部に向かうにつれて細くなるテーパー状の袋状に構成されている。薬剤収納容器１０は、可撓性を有するシート材、例えばポリエチレン等の合成樹脂で構成されている。
【００２８】
薬剤収納容器１０は、薬剤収納容器１０を支持するための容器支持部１４をさらに有している。容器支持部１４は、例えば、穴であり、例えば、図１に示すように、１つ以上の穴が、シートの短手方向の両端部に沿って並んで形成されている。
【００２９】
薬剤収納部１２に収納される薬剤は、例えば、糖質成分（例えば、ブドウ糖）、電解質成分（例えば、塩化ナトリウム、塩化カリウム、塩化マグネシウム、塩化カルシウム、酢酸ナトリウム、クエン酸ナトリウム）、ｐＨ調整剤（例えば、酢酸と酢酸ナトリウムもしくはその混合物、またはクエン酸とクエン酸ナトリウム等）、アルカリ化成分（例えば、炭酸水素ナトリウム）等が粉末状または顆粒状等にされた透析用剤であり、薬剤収納部１２の内部に所定量が密閉されて収納される。
【００３０】
本発明の実施形態に係る薬液調製装置の一例の概略を図２に示し、その構成について説明する。図２に示す薬液調製装置１は、薬剤を溶媒により所定の濃度に調整して薬液を調製するための装置である。薬液調製装置１は、薬剤と溶媒との混合液を収容可能であり、薬剤を溶媒により所定の濃度に調整して薬液を調製可能な薬液調製槽２０と、薬液調製槽２０から排出された薬剤と溶媒との混合液を薬液調製槽２０に循環供給するための循環配管３４（配管２４、配管２６）を有する循環手段と、を備える。薬液調製槽２０には、溶媒を薬液調製槽２０内に供給するための溶媒供給配管４６が接続されていてもよく、溶媒供給配管４６には溶媒供給量測定手段として流量計等の溶媒供給量測定装置４８が設置されていてもよい。薬液調製装置１は、薬剤収納容器１０における、薬剤収納部１２の先端部からの一部および後端部からの一部を残してシートを切断するための切断機構１８を備えてもよい。薬液調製装置１は、循環手段として、例えば、循環配管３４の途中に設けられ、薬液調製槽２０から排出された薬剤と溶媒とを含む混合液を薬液調製槽２０に循環させるための循環ポンプ２２をさらに備えてもよい。薬液調製槽２０は、上面に槽開口部３６を有している。槽開口部３６の上方には、各薬剤収納部１２に薬剤３２が収納された、シート状の薬剤収納容器１０が、薬剤収納部１２が上方に向いた状態で設置されており、薬剤収納容器１０は、図示しない容器搬送機構により、図２の進行方向に自動または手動で移動可能である。
【００３１】
薬液調製槽２０の排出口と循環ポンプ２２の吸入口との間は、配管２４により接続され、循環ポンプ２２の吐出口と薬液調製槽２０の流入口との間は、配管２６により接続され、薬液調製槽２０から排出された薬剤と溶媒とを含む混合液が配管２４，２６を通して薬液調製槽２０へ排出可能とされている。このようにして、薬剤および溶媒を含む混合液が薬液調製槽２０、配管２４、循環ポンプ２２、配管２６、薬液調製槽２０の順に循環されるように構成されている。
【００３２】
図３に、薬剤収納容器１０を設置した薬液調製装置１を上方から見た上面図を示す。薬液調製装置１は、図３に示すように容器搬送機構１６（図２においては図示せず）を備え、容器搬送機構１６が薬剤収納容器１０の容器支持部１４に接続され、薬剤収納部１２が例えば薬液調製装置１の薬液調製槽２０の槽開口部３６の上方（例えば、直上）に自動または手動で搬送されるように構成されている。容器搬送機構１６は、例えば、シート状の薬剤収納容器１０の容器支持部１４（例えば、「穴」）を接続するためのピン等の支持部材を有する搬送用チェーンであり、容器支持部１４（例えば、「穴」）をピンに引っ掛けることで動力を伝達し、薬剤収納容器１０を搬送することができる。
【００３３】
薬液調製装置１は、制御手段として制御装置（図示せず）を備えてもよい。制御装置は、容器搬送機構１６、切断機構１８および循環ポンプ２２に電気的接続等により接続され、制御装置からの信号に基づいて容器搬送機構１６、切断機構１８および循環ポンプ２２が駆動制御可能とされている。なお、容器搬送機構１６、切断機構１８の駆動および循環ポンプ２２の駆動については、後述する。
【００３４】
図２に示すように、循環配管３４の途中部分（例えば、配管２４の途中部分）は、分岐配管３８により分岐され、この分岐配管３８は、排出バルブ４０を介して多人数用透析液供給装置（図示せず）等の透析液供給装置または個人用透析装置等に接続されていてもよい。また、配管のうち分岐部よりも下流側（循環ポンプ２２側）には、薬液濃度測定手段として電導度計等からなる濃度計４２を備え、循環配管３４内に流れる薬液（混合液）の濃度が所定値に到達したか否かを濃度計４２により測定して、薬剤が十分に溶媒により所定の濃度に調整されたか否か、言い換えると薬液の調製が完了したか否かを判断できるように構成されていてもよい。分岐配管３８による分岐部の位置は、循環配管３４の途中部分であればよく、特に制限はない。濃度計４２の設置位置は、循環配管３４の途中部分であればよく、特に制限はないが、薬液調製槽２０であってもよい。
【００３５】
次に、薬剤収納容器１０を用いる薬液調製装置１における薬液調製方法について説明する。
【００３６】
まず、図２に示すように、薬液調製槽２０には、薬剤３２を所定の濃度に調整するための溶媒（例えば、水）３０を例えば溶媒供給配管４６を通して所定量（具体的には、例えば、薬剤収納部１２内に収納された薬剤３２の量を溶媒３０に混合した場合に、薬液として適した溶液成分濃度が得られるように設定された量）供給して予め貯留しておき、排出バルブ４０を閉状態として、薬液調製槽２０内の溶媒３０が循環ポンプ２２の吸入口へ流入するようにしておく。薬剤３２が薬液調製槽２０内に投入される前に薬液調製槽２０に溶媒３０が予め貯留されていなくてもよいが、薬剤３２が薬液調製槽２０内に投入される際の発塵等を抑制するためには、薬液調製槽２０に溶媒３０を予め貯留しておく方がよい。また、溶媒供給の手段によっては（例えば、流量計等の溶媒供給量測定装置４８を用いる場合）、予め全量の溶媒３０を薬液調製槽２０に供給しなくてもよく、粉末状等の薬剤の場合は発塵が抑制される程度の溶媒３０を薬液調製槽２０に供給して、循環ポンプ２２を稼働させて溶媒または混合液を循環させながら、溶媒３０を薬液調製槽２０に供給してもよい。
【００３７】
図３に示すように、例えば、シート状の薬剤収納容器１０の短手方向の両端部に形成された容器支持部１４（例えば、「穴」）を、容器搬送機構１６（例えば、「搬送用チェーン」）に接続したピン等の支持部材に引っ掛けることで動力が伝達され、薬剤収納容器１０が移動されて、薬剤収納部１２が薬液調製槽２０の槽開口部３６の上方（例えば、直上）まで自動または手動で搬送される。
【００３８】
次に、図４に示すように、例えば、薬液調製槽２０の槽開口部３６の上方（例えば、直上）にある薬剤収納部１２に、図３に示すような略コの字型等の切断機構１８が上方から押し当てられることにより、薬剤収納部１２の先端部からの一部および後端部からの一部を残してシートから切断されることによって、すなわち、薬剤収納部１２の後端部の太い端面を切断せず、例えば、先端部の細い端面の一部を残すように切断することによって、図５に示すように、薬液調製槽２０の槽開口部３６の上方で切断された薬剤収納部１２が、薬剤収納部１２の残された後端部からの一部である太い端面部に支持されて下方の薬液調製槽２０側に垂れ下がり、先端部の側の開口された開口部４４から薬剤収納部１２内の薬剤３２が流れ落ちるように薬液調製槽２０内へ排出される。
【００３９】
このように、例えば、薬剤収納部１２の先端部からの一部および後端部からの一部を残してシートから切断されることによって、すなわち、薬剤収納部１２の後端部の太い端面を切断せず、例えば、先端部の端面の一部を残すように切断することによって、開口部４４が細くなるように形成され、先端部の細い端面の開口部４４から薬剤３２が流れ落ちて薬液調製槽２０内へ投入されるため、自動の薬液調製装置への適用性に優れる。また、薬剤収納部１２の開口部４４から空気等の気体が巻き込まれにくく、薬剤３２が気流を乱さずにまとまって投入されるので投入の際の発塵が抑制され、薬液調製装置１の周辺部が汚染される、薬液調製装置を設置した環境が汚染される等の問題が抑制される。
【００４０】
複数の薬剤収納部１２が１つのシート状に連結されていることにより、可撓性を有するシート材で袋体であっても薬剤収納部１２の開封および薬剤収納部１２内の薬剤３２を薬液調製槽２０に移送する位置決めがしやすく、薬液調製装置を自動化することができる。また、複数の薬剤収納部１２が１つのシート状に連結されているため、薬剤の投入間違いのリスクを防止することができ、また、大量の薬剤を一度に薬液調製装置にセットできる。
【００４１】
容器支持部１４と容器搬送機構１６とにより、薬剤収納容器１０が移動されて、薬剤収納部１２が薬液調製槽２０の槽開口部３６の上方（例えば、直上）まで的確に搬送される。薬剤収納部１２の開封および薬剤収納部１２内の薬剤３２を薬液調製槽２０に移送する位置決めがしやすく、容器搬送機構１６により薬剤収納容器１０を自動で搬送すれば薬液調製装置を自動化することができる。１袋毎の袋形状の容器の場合、移送の位置決めを行うのは困難である。
【００４２】
そして、薬液調製装置１では、例えば制御部により循環ポンプ２２が駆動され、薬剤３２および溶媒３０の混合液が薬液調製装置１内の循環流路である循環配管３４により、薬液調製槽２０、配管２４、循環ポンプ２２、配管２６、薬液調製槽２０の順に循環され、薬剤３２が溶媒３０へ十分に混合されて所定の濃度の薬液が調製される。薬剤３２の薬液調製槽２０内への投入の前に循環ポンプ２２が駆動されてもよい。
【００４３】
電導度計等の濃度計４２により薬液が所定の濃度に達することで適切に濃度調整作業が完了されたことが確認された後に、例えば制御装置により循環ポンプ２２が停止される。薬液調製槽２０内の薬液は、排出バルブ４０が開状態とされて、分岐配管３８を通して多人数用透析液供給装置等の透析液供給装置等に薬液が供給される。
【００４４】
本実施形態に係る薬液調製装置１および薬液調製方法は、主として人工透析に用いる透析液の調製に使用され、粉末状または顆粒状とした固体透析用剤等の薬剤を所定の濃度に調整するためのものである。上記各実施形態では、薬液調製装置１で濃度を調整する薬剤として透析用剤を一例として説明したが、これに限定されない。すなわち、溶媒に溶解される固体の薬剤（顆粒剤や粉末剤）や、コロイド状態、濃厚液状態等の液体の薬剤等であればどのようなものでも利用することができる。
【００４５】
薬液調製槽２０は、所定量の溶媒３０、または薬剤３２と溶媒３０との混合液を収容可能であり、薬剤３２を溶媒３０により所定の濃度に調整して薬液を調製可能な槽であればよく、特に制限はない。薬液調製槽２０は、薬液調製槽２０内の溶媒３０、または薬剤３２と溶媒３０との混合液を撹拌するための撹拌羽根等を有する撹拌装置を備えてもよい。
【００４６】
薬液調製槽２０は、切断された薬剤収納部１２が下方の薬液調製槽２０側に垂れ下がる際に、薬剤収納部１２内の薬剤３２ができるだけ飛散しないように、薬液調製槽２０の開口部４４の周囲の少なくとも一部に、開口部４４から上方の薬剤収納容器１０側に所定の角度で突出したガイド部２８を有していてもよい。ガイド部２８により、切断された薬剤収納部１２が下方の薬液調製槽２０側に垂れ下がる際に落ちた薬剤３２を、薬液調製槽２０内へ導くことができる。
【００４７】
溶媒供給量測定装置４８としては、溶媒供給配管４６に設置する流量計の他に、薬液調製槽２０に設置するフロートスイッチ、重量計等であってもよい。
【００４８】
循環配管３４としては、溶媒３０、または薬剤３２および溶媒３０の混合液が流動することができるものであればよく、特に制限はないが、例えば、内径５〜２５ｍｍの樹脂製、金属性等の配管が用いられる。
【００４９】
薬液濃度測定手段である濃度計４２としては、薬剤３２と溶媒３０との混合液中の薬剤３２の濃度を測定することができるものであればよく、特に制限はないが、例えば、電導度計、超音波濃度計、屈折計、分光光度計等が挙げられる。
【００５０】
薬剤収納容器１０は、可撓性を有するシート材、例えばポリエチレン等の合成樹脂で構成されている。薬剤収納容器１０は、例えば、後端部から先端部に向かうにつれて細くなるテーパー状の複数の空洞部（袋体）がシートの長手方向に沿って並んで形成されるように、２枚以上の樹脂シートを貼り合わせて形成される。薬剤収納部１２の薬剤に接触する部分は、耐薬品性を有する材料、例えば、ポリエチレン、ポリプロピレン、ポリ塩化ビニル等の合成樹脂で構成されることが好ましい。薬剤収納容器１０の表面側は、ある程度の剛性を持たせるためにポリエチレンテレフタレート等により補強してもよい。薬剤収納容器１０は、可撓性を有するシート材で構成されているので、袋式と同様に保管時および使用後の嵩高を容易に減少させることができる。
【００５１】
薬剤収納部１２は、袋状に構成され、所定の量の薬剤を収納可能な大きさであればよい。１つの薬剤収納容器１０のシート内の薬剤収納部１２の数には特に制限はないが、例えば、２個〜１００個程度であり、通常は１０個〜５０個程度である。
【００５２】
薬剤収納部１２の形状は、袋状に構成されているものであればよく、特に制限はない。薬剤収納部１２の形状は、例えば、図１、図３および図６（ａ）や、図６（ｂ）に示すように、後端部から先端部に向かうにつれて細くなるテーパー状の袋状に構成されているものである。また、図６（ｃ），（ｄ），（ｅ），（ｆ）に示すように、後端部から先端部に向かう途中から、先端部にかけて細くなる袋状に構成されているものであってもよい。薬剤収納部１２の形状は、長方体等の袋状に構成されているものであってもよいが、後端部から先端部に向かうにつれて細くなるテーパー状の袋状に構成されているものであることが好ましい。
【００５３】
薬剤収納部１２の先端部のテーパー状の角度は、薬剤収納部１２に収納される薬剤の崩壊角よりも大きい角度の形状に設定されていることが好ましく、薬剤の安息角以上であることがより好ましい。
【００５４】
薬剤を薬剤収納部１２内に収納するには、例えば、２枚のシートを後端部から先端部に向かうにつれて細くなるテーパー状になるような空洞部が形成されるように熱溶着する。次に、この空洞部に薬剤を充填した後に、開口した空洞部の末端を熱溶着することで薬剤収納部１２に薬剤を収納すればよい。
【００５５】
切断機構１８は、薬剤収納部１２の先端部からの一部および後端部からの一部を残してシートから切断することができる、すなわち、薬剤収納部１２の後端部の太い端面を切断せず、先端部の端面の一部を残すように切断することができるものであればよく、特に制限はない。例えば、図３に示すような、後端部から先端部に向かうにつれて細くなるテーパー状の袋状に構成されている薬剤収納部１２の後端部の太い端面を切断せず、先端部の細い端面の一部を残すように切断することができる略コの字型のカッター等が挙げられるが、これに限定されない。ここで、「切断」とは、カッター（刃物）等の切断器具により所定の形状に「断ち切る」ことの他に、薬剤収納容器１０のシート部に予め所定の形状に形成したミシン目や切欠きのような脆弱部に押圧器具等により力を加えて「押し破る」こと等も含む。
【００５６】
切断機構１８による切断は、薬剤収納部１２の先端部の側に開口部４４を形成し、開口部４４以外からは薬剤が漏れないようにし、後端部の太い端面部に薬剤収納部１２が支持されて下方に垂れ下がるように切断すればよく、切断形状には特に制限はない。例えば、図３に示すように、後端部から先端部に向かうにつれて細くなるテーパー状の袋状に構成されている薬剤収納部１２の後端部の太い端面を切断せず、先端部の細い端面の一部を残すように、略コの字型の形状で切断すればよい。また、図７（ａ）に示すように、長方体等の袋状に構成されている薬剤収納部１２の後端部の太い端面を切断せず、先端部の一方の角部を残すような形状で切断してもよく、図７（ｂ）に示すように、長方体等の袋状に構成されている薬剤収納部１２の後端部の太い端面を切断せず、先端部の一部を切り欠くように残すような形状で切断してもよく、図７（ｃ）に示すように、長方体等の袋状に構成されている薬剤収納部１２の後端部の太い端面を切断せず、先端部の両方の角部を残すような形状で切断してもよい。図７（ｃ）の切断の場合、薬剤収納部１２の袋の中央部（図７（ｃ）において点線で示す）を境に両側が垂れ下がり、薬剤が落ちる機構としてもよい。
【００５７】
切断機構１８による切断において、薬剤収納部１２の先端部の薬剤３２の量をできるだけ少なくして開封のときの切断精度を向上させることが好ましい。この場合、薬剤収納部１２の先端部の薬剤３２の量ができるだけ少なくなるように、例えば、先端部が少し高くなる傾斜状態または水平状態で切断することが好ましい。
【００５８】
切断機構１８により形成される開口部４４の大きさは、薬剤収納部１２内の薬剤３２ができるだけ飛散せずに流れ落ちることができる程度の大きさであればよく、特に制限はない。薬剤３２の粒径、粘度、容量等を考慮して、できるだけ小さくなるように決定すればよい。
【００５９】
容器搬送機構１６は、薬剤収納容器１０の容器支持部１４に接続され、薬剤収納部１２を薬液調製装置１の薬液調製槽２０の槽開口部３６の上方（例えば、直上）に自動または手動で、好ましくは自動で搬送することができるものであればよく、特に制限はない。容器搬送機構１６は、例えば、シート状の薬剤収納容器１０の短手方向の両端部に形成された容器支持部１４（例えば、「穴」）を接続するためのピン等の支持部材を有する搬送用チェーンであり、容器支持部１４（例えば、「穴」）を接続したピンに引っ掛けることで動力を伝達し、薬剤収納容器１０を移動して、薬剤収納部１２が薬液調製槽２０の槽開口部３６の上方（例えば、直上）に搬送することができる。容器搬送機構１６は、その他に、例えば、薬剤収納容器の短手方向の両端が載る位置に滑りにくいレールを設け、このレールを動かす方法、薬剤収納容器の端を挟んで運搬する方法によるものであってもよい。
【００６０】
容器支持部１４は、容器搬送機構１６に接続できる形態であればよく、特に制限はない。容器支持部１４は、例えば、穴であり、１つ以上の穴が、薬剤収納容器１０のシートの短手方向の両端部に沿って並んで形成されたものである。容器支持部１４は、その他に、例えば、突起であり、１つ以上の突起が、薬剤収納容器１０のシートの短手方向の両端部に沿って並んで形成されたものであってもよい。
【００６１】
容器搬送機構１６による薬剤収納部１２の位置決めは、その他に、例えば、画像処理（例えば、色や線等のアンカー検出による）、厚みセンサ等の方法により行ってもよい。
【００６２】
制御装置は、ＣＰＵ等の制御素子を含んで構成され、循環ポンプ２２や、切断機構１８、容器搬送機構１６等を制御する機能を有する。
【００６３】
薬液調製装置１は、その他、記憶部、ユーザインターフェース、入力部等のうち少なくとも１つをさらに備えてもよい。記憶部は、例えば、半導体メモリ、ハードディスク、光ディスク装置等の記憶装置を含んで構成され、制御装置で処理されるプログラム、データ等の電子情報を格納および保持することができる。ユーザインターフェースは、モニタやタッチパネル等を含んで構成され、ユーザからの制御装置に対する指示等を受け付けたり、ユーザに対する情報を提示したりするために用いられる。入力部は、キーボード、マウス、タッチパネル等を含んで構成され、ユーザから処理に用いられる各種情報を取得するために用いられる。ユーザインターフェースがタッチパネル等の入力部を含む場合には入力部を備えなくてもよい。
【００６４】
薬剤３２は、例えば、固体型の薬剤であり、例えば、粉末状または顆粒状等にされたものである。薬剤３２は、固体型の他に、ゲル状態等のコロイド状態や、濃厚液状態等の液体の薬剤であってもよい。薬剤３２は、例えば、電解質成分、ｐＨ調整剤、糖質成分、アルカリ化成分のうち少なくとも１つを含む透析用剤である。
【００６５】
電解質成分としては、例えば、塩化ナトリウム、塩化カリウム、塩化マグネシウム、塩化カルシウム、酢酸ナトリウム、クエン酸ナトリウム等が挙げられる。
【００６６】
ｐＨ調整剤としては、クエン酸無水物、リンゴ酸、乳酸、フマル酸、コハク酸、マロン酸等の有機固体酸や、クエン酸ナトリウム等のクエン酸塩、酢酸ナトリウム、二酢酸ナトリウム等の酢酸塩、乳酸ナトリウム等の乳酸塩、リンゴ酸ナトリウム等のリンゴ酸塩、フマル酸ナトリウム等のフマル酸塩、コハク酸ナトリウム等のコハク酸塩、マロン酸ナトリウム等のマロン酸塩等の有機酸塩等が挙げられる。これらのうち、好ましいｐＨ調整剤としては、クエン酸無水物の他に、クエン酸一水和物、クエン酸ナトリウム無水物、クエン酸ナトリウム二水和物、酢酸、二酢酸ナトリウム、酢酸ナトリウム無水物である。
【００６７】
糖質成分としては、無水結晶ブドウ糖等のブドウ糖等が挙げられる。
【００６８】
アルカリ化成分としては、例えば、炭酸水素ナトリウム（重炭酸ナトリウム）等が挙げられる。
【００６９】
溶媒３０としては、例えば、水である。
【００７０】
用いる溶媒３０の量、すなわち薬液調製槽２０に予め貯留して溶媒３０の量は、例えば、薬剤収納部１２内に収納された薬剤３２の量を溶媒３０に混合した場合に、薬液として適した溶液成分濃度が得られるように設定された量とすればよい。
【００７１】
溶媒の温度は、例えば、１０℃〜５０℃の範囲であればよい。
【００７２】
薬液調製装置１の動作時の流量は、薬液調製槽２０内の薬剤３２と溶媒３０との混合液が循環配管３４を通して移動可能な流量であればよく、特に制限はないが、例えば、５リットル毎分〜４０リットル毎分の範囲とすればよい。
【符号の説明】
【００７３】
１  薬液調製装置、１０  薬剤収納容器、１２  薬剤収納部、１４  容器支持部、１６  容器搬送機構、１８  切断機構、２０  薬液調製槽、２２  循環ポンプ、２４，２６  配管、２８  ガイド部、３０  溶媒、３２  薬剤、３４  循環配管、３６  槽開口部、３８  分岐配管、４０  排出バルブ、４２  濃度計、４４  開口部、４６  溶媒供給配管、４８  溶媒供給量測定装置。
【図１】
2019130217.tif 000003
【図２】
2019130217.tif 000004
【図３】
2019130217.tif 000005
【図４】
2019130217.tif 000006
【図５】
2019130217.tif 000007
【図６】
2019130217.tif 000008
【図７】
2019130217.tif 000009